【手続補正書】
【提出日】平成17年4月4日(2005.4.4)
【手続補正１】
【補正対象書類名】明細書
【補正対象項目名】全文
【補正方法】変更
【補正の内容】
【書類名】            明細書
【発明の名称】病気のない丈夫な苗を作る方法
【特許請求の範囲】
【請求項１】挿し穂を浮き板に固定させて水または培養液に浮かせて発根を促し、、それを発根初期に培養土の上に移動させるために、カルスが形成された適当な時期に排水し、挿し穂の先が培養土に接するか刺さる程度に保持するようにし、その挿し穂の先が適度の水分を保持させて発根を促して病気のない丈夫な苗を作る方法。
【請求項２】挿し木の方法によって植物を増殖する時、挿し穂の先にカルスが形成するまで、または、カルスが形成後、または根が出始めるまで挿し穂の先まで浸水させておき、その後、カルス形成部に多くの空気または酸素を含んだ適度の保水または湿度を与えられる構造体を作り、根を早く出させて増殖効率の良い苗を作るようにした請求項１記載の病気のない丈夫な苗を作る方法。
【請求項３】挿し木の方法によって植物を増殖する時、挿し穂の先にカルスが形成するまで、または、カルスが形成後、または根が出始めるまで挿し穂の先まで浸水出来るようにし、挿し穂を浮遊体に固定し、水に浮かせて挿し穂の先を浸水させる、その後、カルス形成部に多くの空気または酸素を含んだ、適度の保水または湿度を与えられる構造体を作るために、培養土の上に挿し穂の先が接するかまたは刺さる程度に挿し穂を固定して、培養土に適度の保水または湿度を与えて根を早く出させて増殖効率の良い苗を作るようにした請求項１記載の病気のない丈夫な苗を作る方法。
【請求項４】挿し木の方法によって植物を増殖する時、挿し穂の先にカルスが形成するまで、または、カルスが形成後、または根が出始めるまで挿し穂の先まで浸水出来るように、挿し穂を浮遊体に固定して、水に浮かせて挿し穂の先を浸水させる、その後、カルス形成部に多くの空気または酸素を含んだ、適度の保水または湿度を与えられる構造体を作るために、培養土の上に挿し穂の先が接するかまたは刺さる程度に挿し穂を固定して、培養土に適度の保水または湿度を与えるために同じ容器の底に培養土を敷いて水位を調整、または排水を行いながら根を早く出させて増殖効率の良い苗を作るようにした請求項１記載の病気のない丈夫な苗を作る方法。
【請求項５】浮き板より挿し穂を外して培養土の入った容器に定植をして培養土の保水を調整しながら根を出させて丈夫な苗を作るようにした請求項１記載の病気のない丈夫な苗を作る方法。
【発明の詳細な説明】
【０００１】
【産業上の利用分野】
本発明は、病気のない丈夫な苗を作る方法に関し、特に、従来の方法では、カルスが大きくなり、根の出る時間が長くなる欠点があった。そこで、浮き板より挿し穂を浮かしておくと、病気のない苗を作ることができた。本発明はそのようにして、病気のない丈夫な苗を作る方法に関する。
【０００２】
【従来の技術】
従来から、病気のない丈夫な苗を作る方法は望まれてきた。ところが、如何にすれば病気のない丈夫な苗を作ることができるかということについてはその詳細は不明であった。また、水耕栽培は進んでいたが病気のない丈夫な苗を作ることには適しているとは言えなかった。
【０００３】
【発明を解決しようとする課題】
水耕の方法で挿し木をする方法を研究してきたが、その方法ではカルスが大きくなり根の出る時間が長くなる欠点がある。そこで次のように改良し、それによって早く病気のない丈夫な苗を作る方法を課題とする。また、カルスが形成後、水に浸かっていると、挿し穂は枯れないが根が出にくいことに問題がある。そこで、根を出易くさせることにより病気のない丈夫な苗を作る方法を課題とする。また、カルスができた挿し穂が培養土の入つた育苗ポットに移植して潅水を施すだけで枯れずに根が出て生育する。そのことから、カルスができた挿し穂は成長する力をこの時点で保持しており、根が出易い条件と十分な空気と適度な湿りを与えることによってカルスの形成が止まり根が出る方向に進み穂も成長が始まることを課題とする。
【０００４】
【課題を解決するための手段】
本発明は、挿し穂を浮き板に固定させて水または培養液に浮かせて発根を促し、それを発根初期に培養土の上に移動させるために、カルスが形成された適当な時期に排水し、挿し穂の先が培養土に接するか刺さる程度に保持するようにし、その挿し穂の先が適度の水分を保持させて発根を促して病気のない丈夫な苗を作る方法である。
【０００５】
【作用】
本発明は、挿し穂を浮き板に固定させて水または培養液に浮かせて発根を促し、それを発根初期に培養土の上に移動させるために、カルスが形成された適当な時期に排水し、挿し穂の先が培養土に接するか刺さる程度に保持するようにし、その挿し穂の先が適度の水分を保持させて発根を促して病気のない丈夫な苗を作る方法であるから、挿し穂を水または培養液に浮かせて発根を促し、さらに、水または培養液に浮かせた後、挿し穂の先を培養土に接するか刺さる程度に保持させて、培養土からの養分を吸収し易くし、挿し穂を浮き板に固定させているので、その挿し穂を浮き板から外すのが容易である。そして、発根初期に培養土の上に移動して、挿し穂の先が適度の水分を保持させるようにするために発根初期に培養土の上に移動させるために、カルスが形成された適当な時期に排水し、挿し穂の先が培養土に接するか刺さる程度に保持するようにし、その挿し穂の先が適度の水分を保持させて発根を促して病気のない丈夫な苗を作る方法であるので発根を促し得るのであり、そして、挿し穂の先が培養土に接するか刺さる程度に保持するようにし、発根を促して病気のない丈夫な苗を作る方法である。
【０００６】
【実施例１】
以下、培養手順を説明すると、
１順  浮き板に挿し穂を固定して水または培養液に浮かす。
２順  カルスが形成されるまで培養液に培養液が腐敗しない構造または装置により浮かしておく。
３順  カルスが形成された適当な時期に排水し、挿し穂の先が培養土に接するか刺さる程度に保持する。
４順  培養土が常に適度の湿り気を保持するように給水する。その給水方法は装置に取り付けられた給水バルブの操作で水を張るようにして給水し、培養土全体に水分がいき渡った時点で止水して余水を排水してもよい。
５順  適度の根が形成されたら浮き板から穂を外して、生育させる培養土に定植する。浮き板より挿し穂を外す時、栽培槽に静かに給水をして浮き板を浮かせた後に穂を外すとよい成果が得られる。
【０００７】
【実施例２】
１  カルスができるまでは穂の先が水に浸水している方が挿し穂の枯れも少ないので挿し穂の無駄もなく経済的で管理もし易い。
２  カルスが形成された適当な時を、見計らって、排水をして、カルスが培養土に接するか挿し穂の先が培養土に少し刺さる程度の状態にすることによって、培養土は適度の水分を保持して入るので根が出易くなる。
３  培養土は無機質で多孔質の物が最適であるが無機質・有機質どちらでも材質は選ばない。
４  挿し木用培養液を水単体または肥料・薬液などの含んだ物でもよく、病気の出易い植物には培養液の中に薬液などを入れて病気のない健全な苗を作ることができる。
５  培養液の槽の構造は断熱効果の大きい材質がよく、例えば、発泡スチロール製の物が好ましいが材質・構造は限定されない。
６  培養液槽の給水排水はその働きをする方法であればよく、方法・構造は限定されない。
【０００８】
【効果】
本発明は、挿し穂を浮き板に固定させて水または培養液に浮かせて発根を促すことができて、挿し穂を浮き板に固定させたので、挿し穂を浮き板から外すのが容易である。そして、発根初期に培養土の上に移動して、挿し穂の先が適度の水分を保持させるので発根を促し得るのであり、さらに発根を促して病気のない丈夫な苗を作る方法であるから、病気のない丈夫な苗を作る方法にするために、本発明は、挿し穂を浮き板に固定させて水または培養液に浮かせて発根を促し、挿し穂を水または培養液に浮き板を浮かせて発根させ得るようにしたのであり、発根初期に培養土の上に移動させるために、カルスが形成された適当な時期に排水し、挿し穂の先が培養土に接するか刺さる程度に保持するようにし、最初に、水または培養液により発根を促し得るようにし、その水または培養液をカルスが形成された適当な時期に排水し得るようにし、その挿し穂の先が適度の水分を保持させて発根を促し得るようにして病気のない丈夫な苗を作る方法を提供することを本発明の要旨とする。
【図面の簡単な説明】
【図１】
本発明の病気のない丈夫な苗を作る方法の第１段階を示した断面図である。
【図２】
本発明の病気のない丈夫な苗を作る方法の第２段階を示した断面図である。
【図３】
本発明の病気のない丈夫な苗を作る方法の第３段階を示した断面図である。
【図４】
本発明の病気のない丈夫な苗を作る方法の第１段階を示した浮き板下面に空間部を設けた断面図である。
【図５】
本発明の病気のない丈夫な苗を作る方法の第２段階を示した浮き板下面に空間部を設けた断面図である。
【図６】
本発明の病気のない丈夫な苗を作る方法の第３段階を示した浮き板下面に空間部を設けた断面図である。
【図７】
本発明の病気のない丈夫な苗を作る方法であって、上に水、下に砂を敷き、その上面に挿し穂を浮き板に固定させた浮揚体を示した断面図である。
【図８】
本発明の病気のない丈夫な苗を作る方法を示したものであって、下に砂を敷いた状態のところに根を生やした挿し穂を示した断面図である。
【図９】
本発明の病気のない丈夫な苗を作る方法を示したものであって、そのための挿し穂を示した断面図である。
【図１０】
本発明の病気のない丈夫な苗を作る方法を示したものであって、そのための挿し穂を通す孔を浮き板に設けた状態を示した断面図である。
【図１１】
本発明の病気のない丈夫な苗を作る方法を示したものであって、そこで作られた根付きの挿し穂を植木鉢に植え込まれる状態を示した斜視図である。
【図１２】
本発明の病気のない丈夫な苗を作る方法において使用される浮き板の平面図である。
【図１３】
本発明の病気のない丈夫な苗を作る方法において使用される浮き板の平面図で示した図１２の下方位置に示したＡ−Ａ線の断面図である。
【図１４】
図１３に示したの病気のない丈夫な苗を作る方法を示したものであって、本発明の病気のない丈夫な苗を作る方法が使用される浮き板を容器上に浮かせた状態を示した本発明の病気のない丈夫な苗を作る方法の実施例の断面図である。
【図１５】
図１４に示したの病気のない丈夫な苗を作る方法を示したものであって、本発明の病気のない丈夫な苗を作る方法が使用される浮き板を容器上に浮かせた状態を示した本発明の病気のない丈夫な苗を作る方法の実施例の平面図である。
【図１６】
本発明の病気のない丈夫な苗を作る方法において使用される浮き板の裏面図である。
【図１７】
本発明の病気のない丈夫な苗を作る方法において使用される浮き板の平面図で示した図１６の下方位置に示したＢ−Ｂ線の断面図である。
【符号の説明】
１    浮き板                        ２    容器
３    挿し穂                        ４    挿し穂の根
５    水または培養液                ６    培養土
７    浮き板の裏側の空間部          ８    植木鉢
９    浮き板に設けた挿し穂刺込孔    １０  浮き板に設けた挿し穂嵌め込み孔